(57)【要約】  ワイヤレス通信ネットワーク内の複数のセルの少なくともいくつかによって周期的に送信される測位信号上で測位測定を実行するためにモバイルデバイスを支援するための方法は、セル情報を受信することを含む。セル情報は、モバイルデバイスによって測定され、又はさもなければ取得され、ワイヤレス通信ネットワーク内の複数のセルの1つ又は複数に関連する測定値/データを含む。方法は、受信されたセル情報に基づいて測位測定を実行するためのモバイルデバイスによる使用のための割り当てられた周波数チャネル番号を含むために、支援データを生成することを含む。支援データは、その後、モバイルデバイスへ送られる。
2018509614.tif 000002
【特許請求の範囲】
【請求項１】
ワイヤレス通信ネットワーク内の複数のセルの少なくともいくつかによって周期的に送信される測位信号上で測位測定を実行するためにモバイルデバイスを支援するための方法であって、前記方法は、
前記ワイヤレス通信ネットワーク内の前記複数のセルの１つ又は複数の、前記モバイルデバイスによって取得される、セル情報を受信することと、
前記受信されたセル情報に基づいて前記測位測定を実行するために、前記モバイルデバイスによる使用のための割り当てられた周波数チャネル番号を含むように支援データを生成することと、及び、
前記モバイルデバイスへ前記支援データを送ることと、
を備える、方法。
【請求項２】
前記セル情報は、前記複数のセルの少なくとも１つの強化セルＩＤ（Ｅ−ＣＩＤ）情報を含む、請求項１に記載の方法。
【請求項３】
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、請求項２に記載の方法。
【請求項４】
前記割り当てられた周波数チャネル番号は、進化型絶対無線周波数チャネル番号（ＥＡＲＦＣＮ）を含む、請求項１に記載の方法。
【請求項５】
前記割り当てられた周波数チャネル番号は、絶対無線周波数チャネル番号（ＡＲＦＣＮ）を含む、請求項１に記載の方法。
【請求項６】
前記セル情報は、前記モバイルデバイスによって観測される、前記ワイヤレス通信ネットワーク内の第１のセルの観測周波数チャネル番号を示し、前記方法は、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、及び、
前記観測物理周波数が、前記第１のセルの前記既知の物理周波数と同じである場合、前記観測周波数チャネル番号へ、前記割り当てられた周波数チャネル番号を設定することと、
をさらに備える、請求項１に記載の方法。
【請求項７】
前記観測周波数チャネル番号の値は、前記既知の周波数チャネル番号の値から区別できる、請求項６に記載の方法。
【請求項８】
前記既知の物理周波数及び前記既知の周波数チャネル番号に対応するデータを維持することは、前記ワイヤレス通信ネットワークのロケーションサーバにおいて、基地局アルマナック（ＢＳＡ）を維持することを備える、請求項６に記載の方法。
【請求項９】
前記セル情報を受信することは、ロングタームエボルーション（ＬＴＥ）測位プロトコル（ＬＰＰ）を介して前記セル情報を受信することを含む、請求項１に記載の方法。
【請求項１０】
前記セル情報に関する要求を、前記モバイルデバイスへ送ることをさらに備える、請求項１に記載の方法。
【請求項１１】
ワイヤレス通信ネットワーク内の複数のセルの少なくともいくつかによって周期的に送信される測位信号上で測位測定を実行するためにモバイルデバイスを支援するための装置であって、前記装置は、
プログラムコードを記憶するように適合されたメモリと、及び
前記装置に、
前記ワイヤレス通信ネットワーク内の前記複数のセルの１つ又は複数の、前記モバイルデバイスによって取得される、セル情報を受信することと、
前記受信されたセル情報に基づいて前記測位測定を実行するために、前記モバイルデバイスによる使用のための割り当てられた周波数チャネル番号を含むように支援データを生成することと、及び、
前記モバイルデバイスへ前記支援データを送ることと、
をするように指示するための前記プログラムコードに含まれる命令にアクセス及び実行するために前記メモリに結合された処理ユニット
を備える、装置。
【請求項１２】
前記セル情報は、前記複数のセルの少なくとも１つの強化セルＩＤ（Ｅ−ＣＩＤ）情報を含む、請求項１１に記載の装置。
【請求項１３】
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、請求項１２に記載の装置。
【請求項１４】
前記割り当てられた周波数チャネル番号は、進化型絶対無線周波数チャネル番号（ＥＡＲＦＣＮ）を含む、請求項１１に記載の装置。
【請求項１５】
前記割り当てられた周波数チャネル番号は、絶対無線周波数チャネル番号（ＡＲＦＣＮ）を含む、請求項１１に記載の装置。
【請求項１６】
前記セル情報は、前記モバイルデバイスによって観測される、前記ワイヤレス通信ネットワーク内の第１のセルの観測周波数チャネル番号を示し、前記プログラムコードは、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、及び、
前記観測物理周波数が、前記第１のセルの前記既知の物理周波数と同じである場合、前記観測周波数チャネル番号へ、前記割り当てられた周波数チャネル番号を設定することと、
を前記装置に指示するための命令をさらに備える、請求項１１に記載の装置。
【請求項１７】
前記観測周波数チャネル番号の値は、前記既知の周波数チャネル番号の値から区別できる、請求項１６に記載の装置。
【請求項１８】
前記既知の物理周波数及び前記既知の周波数チャネル番号に対応する前記データを維持するための命令は、基地局アルマナック（ＢＳＡ）を維持するための命令を備える、請求項１６に記載の装置。
【請求項１９】
前記プログラムコードは、ロングタームエボルーション（ＬＴＥ）測位プロトコル（ＬＰＰ）を介して前記セル情報を受信することを前記装置に指示するための命令をさらに備える、請求項１１に記載の装置。
【請求項２０】
前記プログラムコードは、前記セル情報に関する要求を、前記モバイルデバイスへ送ることを前記装置に指示するための命令をさらに備える、請求項１１に記載の装置。
【請求項２１】
ワイヤレス通信ネットワーク内の複数のセルの少なくともいくつかによって周期的に送信される測位信号上で測位測定を実行するためにモバイルデバイスを支援するための装置であって、前記装置は、
前記ワイヤレス通信ネットワーク内の前記複数のセルの１つ又は複数の、前記モバイルデバイスによって取得される、セル情報を受信するための手段と、
前記受信されたセル情報に基づいて前記測位測定を実行するために、前記モバイルデバイスによる使用のための割り当てられた周波数チャネル番号を含むように支援データを生成するための手段と、及び、
前記モバイルデバイスへ前記支援データを送るための手段と、
を備える、装置。
【請求項２２】
前記セル情報は、前記複数のセルの少なくとも１つの強化セルＩＤ（Ｅ−ＣＩＤ）情報を含む、請求項２１に記載の装置。
【請求項２３】
前記割り当てられた周波数チャネル番号は、進化型絶対無線周波数チャネル番号（ＥＡＲＦＣＮ）を含む、請求項２１に記載の装置。
【請求項２４】
前記セル情報は、前記モバイルデバイスによって観測される、前記ワイヤレス通信ネットワーク内の第１のセルの観測周波数チャネル番号を示し、前記装置は、
前記ワイヤレス通信ネットワークの前記第１のセルの既知の物理周波数及び既知の周波数チャネル番号に対応するデータを維持するための手段と、
前記第１のセルの観測物理周波数へ前記観測周波数チャネル番号を変換するための手段と、及び、
前記観測物理周波数が、前記第１のセルの前記既知の物理周波数と同じである場合、前記観測周波数チャネル番号へ、前記割り当てられた周波数チャネル番号を設定するための手段と、
をさらに備える、請求項２１に記載の装置。
【請求項２５】
前記観測周波数チャネル番号の値は、前記既知の周波数チャネル番号の値から区別できる、請求項２４に記載の装置。
【請求項２６】
ワイヤレス通信ネットワーク内の複数のセルの少なくともいくつかによって周期的に送信される測位信号上で測位測定を実行するためにモバイルデバイスを支援するための、その上に記憶されたプログラムコードを含む非一時的なコンピュータ読取可能媒体であって、前記プログラムコードは、
前記ワイヤレス通信ネットワーク内の前記複数のセルの１つ又は複数の、前記モバイルデバイスによって取得される、セル情報を受信し、
前記受信されたセル情報に基づいて前記測位測定を実行するために、前記モバイルデバイスによる使用のための割り当てられた周波数チャネル番号を含むように支援データを生成し、及び、
前記モバイルデバイスへ前記支援データを送るための命令を備える、非一時的なコンピュータ読取可能媒体。
【請求項２７】
前記セル情報は、前記複数のセルの少なくとも１つの強化セルＩＤ（Ｅ−ＣＩＤ）情報を含む、請求項２６に記載の非一時的なコンピュータ読取可能媒体。
【請求項２８】
前記割り当てられた周波数チャネル番号は、進化型絶対無線周波数チャネル番号（ＥＡＲＦＣＮ）を含む、請求項２６に記載の非一時的なコンピュータ読取可能媒体。
【請求項２９】
前記セル情報は、前記モバイルデバイスによって観測される、前記ワイヤレス通信ネットワーク内の第１のセルの観測周波数チャネル番号を示し、前記プログラムコードは、
前記ワイヤレス通信ネットワークの前記第１のセルの既知の物理周波数及び既知の周波数チャネル番号に対応するデータを維持し、
前記第１のセルの観測物理周波数へ前記観測周波数チャネル番号を変換し、及び、
前記観測物理周波数が、前記第１のセルの前記既知の物理周波数と同じである場合、前記観測周波数チャネル番号へ、前記割り当てられた周波数チャネル番号を設定するための前記命令をさらに備える、請求項２６に記載の非一時的なコンピュータ読取可能媒体。
【請求項３０】
前記観測周波数チャネル番号の値は、前記既知の周波数チャネル番号の値から区別できる、請求項２９に記載の非一時的なコンピュータ読取可能媒体。
【発明の詳細な説明】
【関連出願の相互参照】
【０００１】
[0001]本特許出願は、本願の譲受人に譲渡され、その全体において参照によって本明細書に明確に組み込まれる、２０１５年２月１２日に出願された「ASSISTANCE DATA SEARCH WINDOW DETERMINATION BASED ON MEASURED CELL INFORMATION FROM UE,」と題する、米国仮出願第６２／１１５，５０７号の利益を主張する。
【技術分野】
【０００２】
[0002]この開示は、一般的にモバイル通信に関連し、特に排他的ではないが、ワイヤレスモバイル局の位置を決定するために使用される支援データの生成に関連する。
【背景技術】
【０００３】
[0003]例えば、セルラ電話のようなモバイル局（デバイス）の位置は、様々なシステムから集められた情報に基づいて推定され得る。１つのこうしたシステムは、衛星測位システム（ＳＰＳ：satellite positioning system）の一例である、全世界測位システム（ＧＰＳ：Global Positioning System）を含み得る。ＧＰＳのようなＳＰＳシステムは、地球の軌道を回るいくつかの宇宙ビークル（ＳＶ：space vehicles）を含み得る。モバイル局の位置を推定するための基盤（basis）を提供し得るシステムの別の例は、いくつかのモバイル局のための通信をサポートするためにいくつかの空中及び/又は地上基地局を含むセルラ通信システムである。
【０００４】
[0004]モバイル局に関し、位置「フィックス(fix)」とも称され得る位置推定値は、モバイル局から１つまたは複数の送信機までの間隔（distance）または距離（range）に少なくとも部分的に基づいて、および１つまたは複数の送信機のロケーションにも少なくとも部分的に基づいて取得され得る。このような送信機は、例えば、ＳＰＳのケースではＳＶを、および／またはセルラ通信システムのケースでは地上基地局を、備え得る。送信機までの距離は、送信機によって送信されてモバイル局において受信された信号に基づいて推定され得る。送信機のロケーションは、少なくともいくつかのケースで、送信機のアイデンティティに基づいて確定され得、送信機のアイデンティティは、送信機から受信された信号から確定され得る。
【０００５】
[0005]符号分割多重接続（ＣＤＭＡ）デジタルセルラネットワークにおいて、位置ロケーション可能性は、進化型順方向リンク三辺測量（ＡＦＬＴ）によって提供されることができる。広帯域符号分割多重接続（ＷＣＤＭＡ（登録商標））及びロングタームエボリューション（ＬＴＥ（登録商標））ネットワークにおいて、位置ロケーション可能性は、観測到着時間差（ＯＴＤＯＡ）によって提供される。これらの技術は、基地局からの無線信号のモバイル局（ＭＳ）の測定された到着時間からモバイル局のロケーションを計算する。より進化された技術は、ハイブリッド位置ロケーションであり、ここで、モバイル局は、全世界測位システム（ＧＰＳ）受信機を採用し、位置は、ＡＦＬＴ（又はＯＴＤＯＡ）及びＧＰＳ測定の両方に基づいて計算される。
【０００６】
[0006]ＬＴＥ  ＯＴＤＯＡ測位技術は、ＯＴＤＯＡ位置フィックスを計算するために、各近隣セルからの到着時間を測定するために、測位参照信号（ＰＲＳ）を使用する。サービングセル及び近隣セルからのＰＲＳ信号を測定することができるために、ユーザ機器（ＵＥ）、又はモバイルデバイスは、ＯＴＤＯＡシステムサーバへ支援データ要求を送る。サーバは、その後、ＵＥへセルの情報（例えば、セル構成及びタイミング情報）の一組を送るであろう。サーバは、モバイルデバイスが情報を要求することなく、モバイルデバイスへセルの情報を「プッシュ」することもできる。生成された支援データの方法によって、モバイルデバイスに提供された情報は、ＰＲＳ（測位基準信号）に関するモバイルデバイス探索を助ける。例えば、サーバは、セルの探索ウィンドウのような、タイミング情報を送ることができる。提供された探索ウィンドウは、そのセル内のＰＲＳの推定されたＴＯＡに関連する。しかしながら、そのような測位システムのためのいくつかの従来型のサーバは、ＯＴＤＯＡ支援データに含まれるために、探索ウィンドウを決定するためにかなり初歩の論理を含む。例えば、いくつかのサーバは、ＯＴＤＯＡ測定の少なくともいくつかに関する不正確な探索ウィンドウ中心並びに不必要に大きな推定探索ウィンドウに通じ得るセル（例えば、サービングセルの中心又は境界）に関するモバイルデバイスの物理的なロケーションを推定する。
【０００７】
[0007]モバイルデバイスのＯＴＤＯＡ測位構成要素は、セルラ構成要素と同じハードウェア相関器リソースを典型的に共有し、したがって、ＯＴＤＯＡ測位構成要素に利用可能な相関器の数は、限定され得る。それゆえ、不正確な探索ウィンドウ中心及び不必要に大きな探索ウィンドウに基づくＰＲＳの探索は、モバイルデバイスが位置フィックスを得るのにかかる時間を拡大し得、及び/又はモバイルデバイス、それ自体内の時間/リソース制約のせいで、使用されるＰＲＳ信号の数を制限することによって、フィックスの正確さを制限し得る。
【０００８】
[0008]さらに、いくつかの通信システムは、同じ物理的なセルを使用するために、異なる帯域クラス内で異なる周波数番号をサポートするモバイルデバイスを許すために、異なる帯域クラス番号のサポートをセルが表すことを可能にし得る。しかしながら、いくつかの従来型のＯＴＤＯＡサーバは、モバイルデバイスによってサポートされるチャネル番号又は帯域に関係なく、単一のチャネル番号上でＯＴＤＯＡ支援データを提供のみし得る。
【発明の概要】
【０００９】
[0009]以下は、本明細書で開示される１つ又は複数の態様及び/又は実施形態に関連する簡略化された概要を提供する。そのように、以下の概要は、全ての熟慮された態様及び/又は実施形態に関連する広い概説と見なされるべきではなく、以下の概要が、全ての熟慮された態様及び/又は実施形態に関連する鍵又は重大な要素を識別するように、若しくは、任意の特定の態様及び/又は実施形態と関連付けられた範囲を線引きするように見なされるべきでもない。したがって、以下の概要は、以下に提示される詳細な説明に先行するために、簡略された形で本明細書で説明されるメカニズムに関連する１つ又は複数の態様及び/又は実施形態に関連するある概念を提示するための唯一の目的を有する。
【００１０】
[0010]1つの態様によれば、ワイヤレス通信ネットワークにおける複数のセルの少なくともいくつかによって周期的に送信される測位信号上で測位測定を実行するためにモバイルデバイスを支援するための方法は、セル情報を受信することを含む。セル情報は、モバイルデバイスによって測定され又はそうでなければ取得され、ワイヤレス通信ネットワークにおける複数のセルの1つ又は複数に関連する測定値/データを含む。方法は、受信されたセル情報に基づいて測位測定を実行するためのモバイルデバイスによる使用のための支援された周波数チャネル番号を含むように、支援データを生成することを含む。支援データは、その後モバイルデバイスへ送られる。
【００１１】
[0011]別の態様によれば、ワイヤレス通信ネットワークにおける複数のセルの少なくともいくつかによって周期的に送信される測位信号上で測位測定を実行するためにモバイルデバイスを支援するための装置は、プログラムコードを記憶するために適合されたメモリ及びプログラムコードに含まれる命令にアクセスする及び実行するためにメモリに結合される処理ユニットを含む。命令は、ワイヤレス通信ネットワークにおける複数のセルの1つ又は複数の、モバイルデバイスによって取得される、セル情報を受信すること及び受信されたセル情報に基づいて測位測定を実行するためのモバイルデバイスによる使用のために支援された周波数チャネル番号を含むように支援データを生成することに装置を向けるように構成される。プログラムコードはまた、モバイルデバイスへ支援データを送るための命令を含む。
【００１２】
[0012]さらに別の態様によれば、ワイヤレス通信ネットワークにおける複数のセルの少なくともいくつかによって周期的に送信される測位信号上で測位測定を実行するためにモバイルデバイスを支援するための装置は、ワイヤレス通信ネットワークにおける複数のセルの1つ又は複数の、モバイルデバイスによって取得される、セル情報を受信するための手段を含む。装置はまた、受信されたセル情報に基づいて測位測定を実行するためのモバイルデバイスによる使用のための支援された周波数チャネル番号を含むように、支援データを生成するための手段並びにモバイルデバイスへ支援データを送るための手段を含む。
【００１３】
[0013]別の態様によれば、非一時的コンピュータ可読媒体は、ワイヤレス通信ネットワークにおける複数のセルの少なくともいくつかによって周期的に送信される測位信号上で測位測定を実行するためにモバイルデバイスを支援するための、その上に記憶されたプログラムコードを含む。プログラムコードは、ワイヤレス通信ネットワークにおける複数のセルの1つ又は複数の、モバイルデバイスによって取得される、セル情報を受信し、受信されたセル情報に基づいて測位測定を実行するためのモバイルデバイスによる使用のための支援された周波数チャネル番号を含むように、支援データを生成するための命令を含む。プログラムコードはまた、モバイルデバイスへ支援データを送るための命令を含む。
【００１４】
[0014]本明細書で開示された態様及び実施形態に関連付けられた他の目的及び利点は、添付の図面及び詳細な説明に基づいて当業者に明らかとなろう。
【００１５】
[0015]添付の図面は、本発明の実施形態の説明において役立つようにしめされ、実施形態の限定ではなく、例示のみのために提供される。
【図面の簡単な説明】
【００１６】
【図１】［0016］図１は、例となるワイヤレス通信システムの機能的ブロック図である。
【図２Ａ】[0017]図２Ａは、ワイヤレス通信システムにおける測位測定を実行するためにモバイルデバイスを支援することのプロセスを例示するフローチャートである。
【図２Ｂ】[0018]図２Ｂは、探索ウィンドウを例示する略図である。
【図２Ｃ】[0019]図２Ｃは、異なる帯域クラス番号を伴う物理周波数帯域を表すことをセルに可能にするワイヤレス通信システムにおける測位測定を実行するためにモバイルデバイスを支援することのプロセスを例示するフローチャートである。
【図２Ｄ】[0020]図２Ｄは、受信されたセル情報に基づいて割り当てられた周波数チャネル番号を含むように支援データを生成することのプロセスを例示するフローチャートである。
【図３】[0021]図３は、例示的なモバイル局の機能的ブロック図である。
【図４】[0022]図４は、ロケーションサーバの機能ブロック図である。
【発明の詳細な説明】
【００１７】
[0023]本発明の態様は下記の説明において開示され、および関連する図面は、本発明の特定の実施形態に向けられる。代替実施形態は、本発明の範囲から逸脱することなく考案され得る。さらに、本発明の周知の要素は、詳細に説明されていないあるいは本発明の関連のある詳細を曖昧にしないように省略されるであろう。
【００１８】
[0024]用語「例示的」は、「例、実例、または図解としての役割を果たすことを」を意味するためにここで用いられる。「例示的な」とここに記載された任意の実施形態は、他の実施形態よりも好適である、あるいは利点があると必ずしも解釈されるべきではない。同様に、「本発明の実施形態」は、本発明の全ての実施形態が、説明される特徴、利点、あるいは動作モードを含んでいるということを要件としているわけではない。
【００１９】
[0025]ここで用いられた用語は、特定の実施形態を説明する目的のためだけのものであって、かつ本発明の実施形態を限定することを意図するものではない。本明細書で使用される場合、単数形「a」、「an」、および「the」は、別途内容から明らかに示されない限り、複数形も含むことを意図されている。「備える」、「備えている」、「含む」、および／または「含んでいる」という用語は、本明細書で使用される場合、述べられる特徴、整数、ステップ、動作、要素、および／または構成要素の存在を特定するが、１つまたは複数の他の特徴、整数、ステップ、動作、要素、構成要素、および／またはそれらのグループの存在または追加を妨げないことはさらに理解されるだろう。
【００２０】
[0026]さらに、多くの実施形態が、例えば、計算デバイスの要素によって実行される一連の動作の観点から説明される。本明細書において説明される様々なアクションは、特定の回路（例えば、特定用途向け集積回路（ＡＳＩＣ））によってか、１または複数のプロセッサによって実行されるプログラム命令群によってか、あるいはそれらの組み合わせによって実行されうるということが認識されるだろう。それに加えて、本明細書において説明される一連の動作は、実行されると、関連付けられたプロセッサに本明細書において説明される機能を実行させる、格納された対応するコンピュータ命令群のセットを有するコンピュータ読取可能な記憶媒体の任意の形態内に全体的に実現されるものと見なされうる。このように、本発明の様々な態様は、多数の異なる形態で実現されることができ、それらの全ては、請求された主題の範囲内にあるよう意図されている。それに加えて、本明細書において説明される実施形態の各々に関して、任意のこのような実施形態の対応する形態は、例えば、説明されるアクションを実行する「ように構成されたロジック」として本明細書において説明されうる。
【００２１】
[0027]図１は、1つ又は複数の実施形態に従った例示的なワイヤレス通信ネットワーク１３０を例示する。示されるように、ワイヤレス通信ネットワーク１３０は、セル（例えば、セル１４２−１乃至１４２−１０）のネットワーク、ネットワーク１３４、ロケーションサーバ１４６、及び1つ又は複数のモバイルデバイス１３６を含む。セルのネットワーク及びネットワーク１３４は、モバイルデバイス１３６が、公衆交換電話ネットワーク（ＰＳＴＮ）又はインターネットなど、1つ又は複数の外部ネットワーク（図示せず）にアクセスすることを可能にする。
【００２２】
[0028]各セル１４２−１乃至１４２−１０は、少なくとも1つの基地局（例えば、１４０−１乃至１４０−１０）を含む。基地局１４０−１乃至１４０−１０は、ワイヤレス通信ネットワーク１３０によってサービスされる広い地理的領域にわたって地理的に分散される。各基地局１４０−１乃至１４０−１０は、セル（例えば、セル１４２−１乃至１４２−１０）と称される、その地理的領域の1つ又は複数のそれぞれの部分に対してワイヤレスカバレッジを提供する。このため、モバイルデバイス１３６は、セル（例えば、セル１４２−１乃至１４２−１０）内又は間で移動し得、任意の与えられた位置において、1つ又は複数の基地局（例えば、１４０−１乃至１４０−１０）と通信し得る。
【００２３】
[0029]異なるセル（例えば、１４２−１乃至１４２−１０）は、それらのセル（例えば、１４２−１乃至１４２−１０）をサービスする基地局（例えば、１４０−１乃至１４０−１０）によって利用される最大送信電力に依存して、異なる公称サイズを有し得る。例えば、基地局１４０−８は、比較的小さな最大送信電力を有し、比較的小さいセル１４２−８内でモバイルデバイス１３６を相応にサービスし得る一方、基地局１４０−１は、比較的大きな最大送信電力を有し、比較的大きなセル１４２−１内でモバイルデバイス１３６を相応にサービスし得る。一般に、異なる予め定義される最大送信電力を有する（及び、それによって異なる公称サイズのセルをサービスする）異なる基地局は、異なる基地局クラス（例えば、マクロ基地局クラス、マイクロ基地局クラス、ピコ基地局クラス、等）に属する。
【００２４】
[0030]図１に示されるように、モバイルデバイス１３６は、その現在の位置において、モバイルデバイス１３６が、基地局１４０−４とデータを交換するという意味において、基地局１４０−４によってサービスされる。基地局１４０−４は、特定の周波数（サービングセル周波数と称される）上で、及び特定の帯域幅（サービングセル帯域幅として知られる）にわたってモバイルデバイス１３６へこのデータを送信する。したがって、モバイルデバイス１３６の視点から、基地局１４０−４は、サービング基地局であり、セル１４２−４は、サービングセルである。サービングセル１４２−４と地理的に隣接する、又は部分的に一致する他のセルは、隣接セルと称される。この例において、示される全てのセルは、セル１４２−１及び１４２−５を除いて隣接セルである。
【００２５】
[0031]セルの各々は、（その基地局を介して）測位信号１４４を周期的に送信する。測位信号１４４は、信号を受信するモバイルデバイス１３６によって、及び、ロケーションサーバ１４６によって提供される支援データの目的で、その信号を送信するセル、両方に知られている予め定められた信号である。測位信号１４４は、サービングセル周波数と同じ又は異なる周波数上でセルによって送信され得る。この方法でセルによって送信された測位信号１４４は、モバイルデバイス１３６のロケーションを決定するためにモバイルデバイス１３６によって測定及び使用されることができる。測位信号測定は、モバイルデバイス１３６の地理的位置を決定するためにロケーションサーバ１４６によって使用されることもできる。
【００２６】
[0032]1つの実施形態において、モバイルデバイス１３６は、そのような目的を達成するためにネットワーク１３４上でロケーションサーバ１４６と通信し得る。モバイルデバイス１３６とロケーションサーバ１４６の間のこの通信は、モバイルデバイス１３６とロケーションサーバ１４６の間の1つ又は複数のトランザクションを含み得る。各トランザクションは、性能の交換、ロケーションサーバ１４６へのセル測定値の移動、測位信号測定を実行するためにモバイルデバイス１３６を支援するためのロケーションサーバ１４６からモバイルデバイス１３６への支援データの移動、又はこれらの測定の究極の目的に関する情報（例えば、モバイルデバイス１３６の実際の位置）の移動などの特定の動作に関係する。
【００２７】
[0033]基地局アルマナック（ＢＳＡ）１４８は、図１にも示される。ＢＳＡ１４８は、位置推定のために使用されるシステムのために維持され得、例えば、位置推定動作において使用され得る情報を含む、情報の様々なタイプを包含し得る。このような情報は、例えば、ワイヤレス通信ネットワーク１３０の様々な基地局のアイデンティティ及びロケーションを含み得る。本明細書で使用される用語「基地局アルマナック」は、ワイヤレス通信ネットワークの複数のセルに関連した情報の任意の組織化されたセットを含むことを意味する。ＢＳＡ１４８は、ロケーションサーバ１４６のような、コンピューティング・プラットホームのメモリ内に記憶され得、ロケーションサーバ１４６に通信可能に結合された別のコンピューティング・プラットフォームのメモリ内に含まれ得る。以下により詳細に説明されるように、ロケーションサーバ１４６は、モバイルデバイス１３６による使用のために支援データの生成においてＢＳＡ１４８に包含される情報を利用し得る。
【００２８】
[0034]支援データがロケーションサーバ１４６によって生成され、モバイルデバイス１３６へ移動されると、モバイルデバイス１３６は、複数の異なるセル（例えば、４２−１乃至４２−１０）から送信された測位信号１４４を測定することを試み得る。
【００２９】
[0035]図２Ａは、ワイヤレス通信システムにおいて測位測定を実行するためにモバイルデバイスを支援することのプロセス２００を例示するフローチャートである。図２Ｂは、生成された支援データに含めることのための例示的な探索ウィンドウを例示する図である。プロセス２００は、図１〜２Ｂに関して説明されるであろう。
【００３０】
[0036]いくつかの実施形態において、プロセル２００は、ロケーションサーバ１４６によって実行され得る。例示された例において、プロセス２００は、モバイルデバイス１３６からのセル情報の受信からプロセスブロック２０２において始め得る。いくつかの実施形態において、プロセス２０２は、ＯＴＤＯＡ測定の前に強化セルＩＤ（Ｅ−ＣＩＤ）コール・フロー・プロシージャの一部として実装される。モバイルデバイス１３６は、要求されていないセル情報をロケーションサーバ１４６へ提供し得、又は別の例において、ロケーションサーバ１４６は、モバイルデバイス１３６からセル情報を要求し得る。セル情報は、モバイルデバイス１３６によって測定された、又はそうでなければ取得されたＥ−ＣＩＤ情報/データを含み得る。例えば、セル情報は、モバイル・カントリー・コード（ＭＣＣ）、モバイル・ネットワーク・コード（ＭＮＣ）、セルＩＤ（ＣＩＤ）、基準セルとモバイルデバイス１３６の間の受信及び送信時間間の推定された時間差に対応するＲｘ−Ｔｘ時間差、物理セル識別子（ＰＣＩ）、発展型絶対無線周波数チャネル番号（ＥＡＲＦＣＮ：an Evolved Absolute Radio Frequency Channel Number）、基準信号受信電力（ＲＳＲＰ）、及び基準信号受信品質（ＲＳＲＲＱ）を含み得る。上記のセル情報は、モバイルデバイス１３６に隣接するセル（例えば、セル１４２−２、１４２−３、１４２−６、１４２−７、１４２−１０、等）並びにサービングセル（例えば、セル１４２−４）の測定されたデータであり得る。一例において、測定されたセル情報に含まれるＲｘ−Ｔｘ時間差データは、サービングセルに関連のみし得、任意の近隣セルに関連し得ない。一例において、ロケーションサーバは、ロング・ターム・エボリューション（ＬＴＥ）測位プロトコル（ＬＰＰ）を介してセル情報を受信する。
【００３１】
[0037]次に、プロセスブロック２０４において、ロケーションサーバ１４６は、受信したセル情報に基づいてモバイルデバイス１３６の推定された位置を決定する。プロセスブロック２０６において、ロケーションサーバ１４６は、近隣セルと支援データに含まれるべき基準セルから送信された複数の測位信号１４４の間の基準信号時間差（ＲＳＴＤ）の探索ウィンドウを決定し得る。1つの態様において、探索ウィンドウは、基準セルから送信された測位信号１４４と近隣セルから送信された測位信号１４４の間の、モバイルデバイス１３６におけるデルタ到着時間を包含する時間の予測間隔を表す。受信されたセル情報に基づいてモバイルデバイス１３６の位置を推定することは、ロケーションサーバ１４６に時間のこの間隔をより正確に予測することを可能にし得る。1つの実施形態において、探索ウィンドウは、基準セルによって送信されたＰＲＳ信号及び近隣セルによって送信されたＰＲＳ信号の最小推定デルタ到着時間（ＴＯＡ）及び最大推定デルタＴＯＡを表し得る。別の実施形態において、探索ウィンドウは、探索ウィンドウ中心及び探索ウィンドウサイズによって表され得る。探索ウィンドウサイズは、探索ウィンドウ中心に関する不確実性のレベルを表し得る。例えば、図２Ｂは、生成された支援データにおける包含のための例示的な探索ウィンドウ２１２を例示する図である。図２Ｂに示されるように、探索ウィンドウ２１２は、探索ウィンドウ中心ｔｃ２１４及び２×Δ（すなわち、２×デルタ）の探索ウィンドウサイズを含む。したがって、探索ウィンドウ２１２は、ｔｃ-Δの最小デルタＴＯＡ２１８及びｔｃ+Δの最大デルタＴＯＡ２２０を示す。
【００３２】
[0038]いくつかの実施形態において、モバイルデバイス１３６の推定された位置を決定すると、ロケーションサーバ１４６は、モバイルデバイス１３６が情報を得ることができる近隣セルを決定し得る。したがって、プロセス２００は、随意に、モバイルデバイス１３６の推定された位置に基づいてＯＴＤＯＡ支援データを入れるためにセルのセットを選択することを含み得る。
【００３３】
[0039]上述されたように、いくつかのシステムは、モバイルデバイス１３６の物理的な位置を推定し、及びしたがってＯＴＤＯＡ支援データに入れるためのセルの選択は、不正確であり得、及び/又は、関連付けられた探索ウィンドウは、不必要に大きく、及び、関連付けられた探索ウィンドウ中心は、これらの従来型のシステムにおいて不正確であり得る。したがって、本開示の実施形態は、ロケーションサーバ１４６が支援データに含まれるＯＴＤＯＡ探索ウィンドウ中心及びＯＴＤＯＡ探索ウィンドウサイズ（例えば、短くなる）をより正確に予測することができるように、ロケーションサーバ１４６に、予めモバイルデバイス１３６のより良い概略の位置を決定することを可能にする。
【００３４】
[0040]プロセス２００に続いて、モバイルデバイス１３６の推定された位置に基づいて探索ウィンドウを決定した後、プロセスブロック２０８は、ＯＴＤＯＡ測位のためにモバイルデバイス１３６によって使用されるべき測位信号１４４の１つ又は複数のための決定された探索ウィンドウに入れるように支援データを生成することを含む。１つの実施形態において、探索ウィンドウ（複数を含む）は、予測されたＲＳＴＤ（基準信号時間差）値パラメータ（すなわち、探索ウィンドウの中心）及びＲＳＴＤ不確実性パラメータ（すなわち、探索ウィンドウサイズ）として支援データに入れられ得る。次に、プロセスブロック２１０において、ロケーションサーバ１４６は、モバイルデバイス１３６へ生成された支援データを送る。
【００３５】
[0041]図２Ｃは、ワイヤレス通信システム（例えば、ワイヤレス通信ネットワーク１３０）における測位測定を実行するためにモバイルデバイスを支援することのプロセス２２２を例示するフローチャートである。１つの実施形態において、ワイヤレス通信ネットワーク１３０は、異なる帯域クラス番号で物理周波数帯域をセルが表すことを可能にするシステムである。例えば、プロトコル仕様書ＴＳ３６．３３１において、複数の周波数帯域インジケータ（ＭＦＢＩ）は、異なる帯域クラス番号で物理周波数帯域をＬＴＥセルが表すことを可能にする。これは、同じ物理セルを使用するための異なる帯域をサポートするモバイルデバイスを可能にする。例えば、（セルはｆｒｅｑＢａｎｄＩｎｄｉｃａｔｏｒ  ＝  １８を設定し 及びＳＩＢ１においてｍｕｌｔｉＢａｎｄＩｎｆｏＬｉｓｔ内に２６を含む）ＢＣ１８においてＥＡＲＦＣＮ５９００又はＢＣ２６においてＥＡＲＦＣＮ８７５０として表される、周波数８６５ＭＨｚをサポートし得る。しかしながら、いくつかの従来型のシステムは、Ｅ−ＵＴＲＡＮセル・グローバル識別子（ＥＣＧＩ）毎に１つの発展型絶対無線周波数チャネル（ＥＡＲＦＣＮ）を許可のみし得、したがって、ロケーションサーバは、モバイルデバイスによってサポートされる帯域に関係なく、モバイルデバイスへこのＥＡＲＦＣＮ上でＯＴＤＯＡ  ＡＤを提供し得る。したがって、プロセス２２２は、モバイルデバイスから受信されたセル情報に基づいてＯＴＤＯＡ  ＡＤに入れられる基準セルのＥＡＲＦＣＮを割り当てることを含む。上述されたように、ＯＴＤＯＡ  ＡＤ内にＥＡＲＦＣＮを割り当てることのプロセス２２２は、異なる帯域クラス番号の複数のＥＡＲＦＣＮでＬＴＥセルのために実装され得る。
【００３６】
[0042]いくつかの実施形態において、プロセス２２２は、ロケーションサーバ１４６によって実行され得る。例示された例において、プロセス２２２は、モバイルデバイス１３６からのセル情報の受信から、プロセスブロック２２４において始め得る。いくつかの実施形態において、プロセス２２２は、ＯＴＤＯＡ測定前に強化セルＩＤ（Ｅ−ＣＩＤ）コール・フロー・プロシージャの一部として実装される。モバイルデバイス１３６は、要求されていないロケーションサーバ１４６へセル情報を提供し得、又は別の例において、ロケーションサーバ１４６は、モバイルデバイス１３６からセル情報を要求し得る。セル情報は、モバイルデバイス１３６によって、測定され、又はそうでなければ取得されたＥ−ＣＩＤデータを含み得る。例えば、セル情報は、モバイル・カントリー・コード（ＭＣＣ）、モバイル・ネットワーク・コード（ＭＮＣ）、セルＩＤ（ＣＩＤ）、基準セル及びモバイルデバイスのアンテナ間の受信及び送信時間間の推定された時間差に対応するＲｘ−Ｔｘ時間差、物理セル識別子（ＰＣＩ）、発展型絶対無線周波数チャネル番号（ＥＡＲＦＣＮ）、基準信号受信電力（ＲＳＲＰ）、及び基準信号受信品質（ＲＳＲＱ）を含み得る。上記セル情報は、モバイルデバイス１３６に隣接するセル（例えば、セル１４２−２、１４２−３、１４２−６、１４２−７、１４２−１０、等）並びにサービングセル（例えば、セル１４２−４）の測定されたデータであり得る。１つの例において、測定されたセル情報に入れられるＲｘ−Ｔｘ時間差データは、サービングセルに関係のみし得、任意の隣接セルに関係しない。
【００３７】
[0043]次に、プロセスブロック２２６において、ロケーションサーバ１４６は、受信されたセル情報に基づいて測位測定を実行するためのモバイルデバイス１３６による使用のための割り当てられた周波数チャネル番号を含むために支援データを生成する。例えば、図２Ｄは、受信されたセル情報に基づいて割り当てられた周波数チャネル番号を含むために支援データを生成することのプロセス２３０を例示するフローチャートである。プロセス２３０は、図２Ｃのプロセスブロック２２６の１つの可能な実装である。
【００３８】
[0044]１つの例において、モバイルデバイス１３６から受信されたセル情報（例えば、プロセスブロック２２４において）は、モバイルデバイス１３６によって観測される、ワイヤレス通信ネットワーク１３０内の第１のセルの観測周波数チャネル番号を示す。観測周波数チャネル番号を示す受信されたセル情報は、進化型絶対無線周波数チャネル番号（ＥＡＲＦＣＮ）又は第１のセルの絶対無線周波数チャネル番号（ＡＲＦＣＮ）であり得る。ＬＴＥにおいて、ＥＡＲＦＣＮは、ＬＴＥキャリア（例えば、１．４/３/５/１０/１５/２０ＭＨｚキャリア）の中心周波数を反映する。したがって、プロセス２３０の、プロセスブロック２３２は、第１のセルの観測周波数チャネル番号を、（例えば、受信されたセル情報から）取得することを含む。次に、プロセスブロック２３４において、ロケーションサーバ１４６は、既知の周波数チャネル番号及び第１のセルの既知の物理周波数に対応するデータを取得する。１つの例において、このデータは、第１のセルのＣＩＤに対応する、正しい周波数チャネル番号、正しい物理周波数又は両方の何れかとして（either as just the frequency channel number, just the physical frequency, or both）、ＢＳＡ１４８内に含まれる。正しい周波数チャネル番号が、ＢＳＡ１４８に含まれる場合、その後、プロセスブロック２３４は、随意に、第１のセルの既知の物理周波数へ既知の周波数チャネル番号を動的に変換することを含み得る。同様に、受信されたセル情報に対して、既知の周波数チャネル番号は、ＥＡＲＦＣＮとして、又はＡＲＦＣＮとしてＢＳＡ１４８内に維持され得る。
【００３９】
[0045]次に、プロセスブロック２３６において、観測周波数チャネル番号は、第１のセルの観測物理周波数へ変換される。例えば、帯域クラス（ＢＣ）  １８内のＥＡＲＦＣＮ５９００の観測周波数チャネル番号が、８６５ＭＨｚの観測物理周波数へ変換されるであろう。上述したように、セルは、異なる帯域クラス番号を伴う物理周波数帯域を表し得る。したがって、観測周波数チャネル番号は、第１のセルの既知の周波数チャネル番号から区別され、けれども、それらは、同じ物理周波数を両方表しうる。したがって、決定ブロック２３８において、ロケーションサーバ１４６は、既知の物理周波数を第１のセルの観測物理周波数と比較する。もし、それらが同じである場合、その後、プロセス２４０は、支援データに入れられるべき観測周波数チャネル番号に、割り当てられた周波数チャネル番号を設定することを含む。しかしながら、観測物理周波数が第１のセルの既知の物理周波数に一致しない場合、モバイルデバイス１３６へシグナルされる必要がある、エラー条件が生じる（すなわち、プロセスブロック２４２）。１つの実施形態において、観測物理周波数が既知の物理周波数に一致しない場合、既知の周波数チャネル番号が属する帯域クラスをモバイルデバイス１３６がサポートする場合、ロケーションサーバ１４６は、随意に、既知の周波数チャネル番号に、割り当てられた周波数チャネル番号を設定する。
【００４０】
[0046]図２Ｃの、プロセス２２２に戻ると、その後、測位測定を実行するためにモバイルデバイス１３６による使用のために割り当てられた周波数チャネル番号を含むために、プロセスブロック２２８は、支援データを送ることを含む。割り当てられた周波数チャネル番号は、ＥＡＲＦＣＮ又はＡＲＦＣＮとして生成された支援データに入れられ得る。
【００４１】
[0047]ここで使用される場合、「モバイル局」という用語又はモバイルデバイスは、変化するポジション位置（a position location）を時々有し得るデバイスを指す。ポジション位置のこの変化は、いくつかの例としては、方向、距離、オリエンテーション等の変化を含み得る。特定の例では、モバイル局が、セルラ電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、携帯用ナビゲーションデバイス、ウェラブルコンピュータおよび／または他の携帯用通信デバイスを備え得る。モバイル局はまた、機械可読命令によって制御される機能を行うように適合されたコンピュータプラットフォームおよび／またはプロセッサも含み得る。
【００４２】
[0048]例えば、図３は、図１及び２Ａ−２Ｂに関連して本明細書で説明される例示的な測位技術のいくつかを実行するために適合され得るモバイルデバイス３００の例のブロック図である。１つ又は複数の無線トランシーバ３７０は、ボイス又はデータのようなベースバンド情報でＲＦキャリア信号をＲＦキャリア上に変調し、そのようなベースバンド情報を得るために変調されたＲＦキャリアを復調するように適合され得る。アンテナ３７２は、ワイヤレス通信リンクにわたって変調されたＲＦキャリアを送信し、ワイヤレス通信リンクにわたって変調されたＲＦキャリアを受信するように適合され得る。１つの実施形態において、アンテナ３７２は、基地局（例えば、図１の基地局１４０−４）へセルラ情報及び/又は支援データ要求を送り、基地局から支援データを受信するように適合される。
【００４３】
[0049]基地局プロセッサ３６０は、ワイヤレス通信リンクをわたる送信のために中央処理ユニット（ＣＰＵ）３２０から無線トランシーバ３７０へベースバンド情報を提供するように適合され得る。ここで、ＣＰＵ３２０は、ユーザインターフェース３１０内の入力デバイスからそのようなベースバンド情報を得得る。ベースバンドプロセッサ３６０は、また、ユーザインターフェース３１０内の出力デバイスを介した送信のために無線トランシーバ３７０からＣＰＵ３２０へベースバンド情報を提供するように適合され得る。
【００４４】
[0050]ユーザインターフェース３１０は、ボイス又はデータのようなユーザ情報を入力又は出力するための複数のデバイスを備え得る。そのようなデバイスは、限定しない例の方法によって、キーボード、ディスプレイスクリーン、マイクロフォン、及びスピーカを含み得る。
【００４５】
[0051]受信機３８０は、ＳＰＳからの送信を、（アンテナ３８２及び/又はアンテナ３８４を介して）受信し、復調し、相関器３４０へ復調された情報を提供するように適合され得る。相関器３４０は、受信機３８０によって提供された情報から相関関数を導出するように適合され得る。相関器３４０は、無線トランシーバ３７０によって提供されたパイロット信号に関連する情報からパイロット関連相関関数を導出するように適合もされ得る。この情報は、ワイヤレス通信サービスを獲得するためにモバイルデバイス３００によって使用され得る。チャネル復号器３５０は、ベースバンドプロセッサ３６０から受信されたチャネルシンボルを基本的なソースビットに復号するように適合され得る。チャネルシンボルが畳み込み符号化されたシンボルを備える１つの例において、チャネル復号器３５０は、ビタビ復号器を備え得る。チャネルシンボルが畳み込み符号のシリアル又はパラレル連結を備える、第２の例において、チャネル復号器３５０は、ターボ復号器を備え得る。
【００４６】
[0052]メモリ３３０は、本明細書に説明され、又は示唆されている１つまたは複数のプロセス、実装、または例を行うように実行可能である機械可読命令を記憶するように適合されうる。ＣＰＵ３２０は、そのような機械可読命令にアクセスし、実行するように適合されうる。
【００４７】
[0053]モバイルデバイス３００はまた、測位信号測定及び/又は支援データ処理を実行するように構成される、位置決定モジュール（ＰＤＭ）３２５を含む。１つの例において、ＰＤＭ３２５は、支援データリクエストを生成し、無線トランシーバ３７０を介して基地局へそのような要求を送信するように構成される。１つの実施形態において、Ｅ−ＣＩＤ測定は、セルラ通信の副生物であり、ＣＰＵ３２０及び/又はベースバンドプロセッサ３６０のような、構成要素によって実行され得る。Ｅ−ＣＩＤ測定は、その後、ＰＤＭ３２５へと渡され得る。さらに別の例において、ＰＤＭ３２５は、無線トランシーバ３７０を介して受信された支援データを処理する。さらに別の例において、ＰＤＭ３２５は、モバイルデバイス３００の位置を決定するために受信された支援データの支援を伴って１つ又は複数の測位信号の測定を実行し得る。ＰＤＭ３２５及びＣＰＵ３２０は、単一のユニットであり得るが、明確さのため独立して例示される。
【００４８】
[0054]ＣＰＵ３２０、並びにＰＤＭ３２５、相関器３４０、チャネル復号器３５０、及びベースバンドプロセッサ３６０の１つ又は複数は、必然的に含む必要はないが、１つ又は複数のマイクロプロセッサ、組み込みプロセッサ、コントローラ、特定用途向け集積回路（ＡＳＩＣ）、高度デジタルシグナルプロセッサ（ＡＤＳＰ）、等を含むことができる。用語プロセッサは、特定のハードウェアというよりはむしろシステムによって実装される機能を説明する。その上、本明細書において使用される場合、「メモリ」という用語は、モバイルデバイス３００に関連付けられる長期、短期、または他のメモリを含む任意のタイプのコンピュータ記憶媒体を指し、任意の特定のタイプのメモリまたはメモリの数、あるいはメモリが記憶される媒体のタイプに限定されるべきではない。
【００４９】
[0055]図４は、上述された技術及び/又はプロセスを実装するように構成されたロケーションサーバ４００の機能ブロック図である。例えば、ロケーションサーバ４００は、図２Ａのプロセス２００、図２Ｃの２２２、及び/又は図２Ｄの２３０と連携して説明されるプロセスの任意のものを実行するように構成され得る。特に、ロケーションサーバ４００は、位置決定モジュール（ＰＤＭ）４２４を含む。ＰＤＭ４２４は、モバイル加入者のために位置決定サービスを提供する。モバイルデバイス３００によって測定され、受信されたセル情報に基づいて、ＰＤＭ４２４は、モバイルデバイス３００の推定された物理ロケーションを決定することができる。１つの例において、ＰＤＭ４２４は、どのセルが支援データを生成すべき、及び/又は関連付けられた探索ウィンドウを決定すべきかを決定するために推定された物理ロケーションを使用する。ＰＤＭ４２４は、その後、通信インターフェース４３０を介してモバイルデバイス３００へ生成された支援データを送る。
【００５０】
[0056]ロケーションサーバ４００は、例えば、デスクトップコンピュータ、ラップトップコンピュータ、ワークステーション、サーバデバイス、または同様のもののような１つまたは複数のコンピューティングデバイス及び/又はプラットフォーム、例えば、携帯情報端末、モバイル通信デバイス、または同様のもののような１つまたは複数のパーソナルコンピューティングまたは通信デバイスまたはアプライアンス、例えば、データベースまたはデータ記憶サービスプロバイダ／システム、ネットワークサービスプロバイダ／システム、インターネットまたはイントラネットサービスプロバイダ／システム、携帯及び/又は検索エンジンサービスプロバイダ／システム、ワイヤレス通信サービスプロバイダ／システムのようなコンピューティングシステム及び/又は関連したサービスプロバイダ機能、及び/又はこれらの任意の組み合わせ、を含み得る。
【００５１】
[0057]ロケーションサーバ４００に示される様々なデバイスおよびネットワーク、ならびに本明細書でさらに説明されるプロセスおよび方法のすべてまたは一部は、ハードウェア、ファームウェア、ソフトウェア、またはそれらの任意の組み合わせを使用して実装され得るか、またはさもなければそれらを含み得ることが、認識される。
【００５２】
[0058]したがって、限定ではなく例として、ロケーションサーバ４００は、バス４２８を通してメモリ４２２に動作可能に結合された少なくとも１つの処理ユニット４２０を含み得る。処理ユニット４２０は、データ計算プロシージャまたはプロセスの少なくとも一部を実行するように構成可能な１つまたは複数の回路を表す。限定ではなく例として、処理ユニット４２０は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、および同様のもの、あるいはそれらの任意の組み合わせを含み得る。１つの実施形態において、処理ユニット４２０は、単独で、又はＰＤＭ４２４と組み合わせて、本明細書に説明されているように支援データを生成するように構成される。
【００５３】
[0059]メモリ４２２は、任意のデータ記憶メカニズムを表す。メモリ４２２は、例えば、ランダムアクセスメモリ、読み取り専用メモリ、等を含みうる。処理ユニット４２０から分離されているものとしてこの例において例示されているが、メモリ４２２のすべてまたは一部が、処理ユニット４２０内に提供されうるか、またはそうでなければ、処理ユニット４２０とコロケート/結合されうることが理解されるべきである。
【００５４】
[0060]メモリ４２２は、例えば、ディスクドライブ、光学ディスクドライブ、テープドライブ、固定状態メモリドライブ、等のような１つ又は複数のデータ記憶デバイス又はシステムを例えば含みもしうる。ある実装において、メモリ４２２は、非一時的なコンピュータ可読媒体４４０を動作的に受け入れ可能であり、またはそうでなければそれに結合するように構成可能であり得る。非一時的コンピュータ可読媒体４４０は、ロケーションサーバ４００対して、搬送及び/又はアクセス可能なデータ、コード並びに/若しくは命令を作成する、任意の媒体を例えば含み得る。非一時的コンピュータ可読媒体４４０は、記憶媒体とも称され得る。
【００５５】
[0061]限定ではなく例として、通信インターフェース４３０は、ネットワークインタフェースデバイスまたはカード、モデム、ルータ、スイッチ、トランシーバなどを含みうる。ロケーションサーバ４００は、例えば、入力/出力４３２をさらに含み得る。入力／出力４３２は、人間及び/又は機械の入力を許可、またはそうでなければ導入するように構成可能であり得る１つまたは複数のデバイスあるいは特徴、並びに/若しくは、人間の及び/又は機械の出力を配信、またはそうでなければ提供するように構成可能であり得る１つまたは複数のデバイスあるいは特徴を表す。限定ではなく例として、入力／出力４３２は、動作的に構成されたディスプレイ、スピーカ、キーボード、マウス、トラックボール、タッチスクリーン、データポート、等を含み得る。
【００５６】
[0062]様々な実施形態において、ロケーションサーバ４００は、ワイヤレス通信システム内の複数のセルの少なくともいくつかによって周期的に送信された測位信号上で測位測定を実行するためにモバイルデバイスを支援するための手段を含み得る。例えば、ロケーションサーバ４００は、ワイヤレス通信ネットワーク内の複数のセルのうちの１つ又は複数の、モバイルデバイス３００によって取得された、セル情報を受信するための手段（例えば、通信インターフェース４３０、処理ユニット４２０、及び/又はメモリ４２２）、受信されたセル情報に基づいて測位測定を実行するためのモバイルデバイス３００による使用のための割り当てられた周波数チャネル番号を含むために、支援データを生成するための手段（例えば、ＰＤＭ４２４）、及びモバイルデバイス３００へ支援データを送るための手段（例えば、通信インターフェース４３０、処理ユニット４２０、及び/又はメモリ４２２）を含み得る。
【００５７】
[0063]当業者は、情報と信号が様々な異なる技術と技法のうちのいずれかをもちいて表され得ることを理解する。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【００５８】
[0064]さらに、当業者は、ここに開示された実施形態に関連して説明された様々な例示的な論理ブロック、モジュール、回路、アルゴリズムステップは、電子ハードウェア、コンピュータソフトウェア、またはその両方の組み合わせとして実装され得ることを認識するだろう。ハードウェアとソフトウェアとのこの互換性を明確に示すために、様々な例示的なコンポーネント、ブロック、モジュール、回路、およびステップが、それらの機能の観点から一般的に上述されている。そのような機能が、ハードウェアとして実装されるか、あるいはソフトウェアとして実装されるかは、特定のアプリケーションおよび全体のシステムに課せられる設計制約に依存する。当業者は、各特定のアプリケーションのために、様々な方法で、説明された機能をインプリメントしうるが、そのような実装の決定は、本発明の範囲から逸脱を引き起こしていると解釈されるべきでない。
【００５９】
[0065]本明細書に開示された実施形態に関連して説明された方法、シーケンス、および／またはアルゴリズムは、ハードウェア、プロセッサによって実行されるソフトウェアモジュールまたはその２つの組合せにおいて直接具体化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で周知の任意の他の形態の記憶媒体内に存在し得る。典型的な記憶媒体は、プロセッサが記憶媒体から情報を読み出し、記憶媒体に情報を書き込むことができるように、プロセッサに結合される。代替として、記憶媒体は、プロセッサと一体化され得る。
【００６０】
[0066]したがって、本発明の実施形態は、ワイヤレス通信ネットワークにおける複数のセルの少なくともいくつかによって周期的に送信された測位信号上で測位測定を実行するためにモバイルデバイスを支援するための方法を実現する非一時的なコンピュータ可読媒体を含むことができる。従って、本発明は、例示された具体例に限定されることはなく、かつここに記載された機能を実行するための任意の手段は、本発明の実施形態に含まれる。
【００６１】
[0067]前述の開示は、例示された本発明の実施形態を示すが、様々な変更および修正が添付の特許請求の範囲によって定義されるように本発明の範囲から逸脱することなく本明細書で行われることが可能なことに留意すべきである。本明細書に記載された本発明の実施形態にしたがった方法の請求項の機能、ステップおよび／または動作は、任意の特定の順序で実行される必要はない。さらに、本発明の要素は、単数で記載または請求され得るが、単数への限定が明らかに述べられていなくとも、複数が検討される。
【図１】
2018509614.tif 000003
【図２Ａ】
2018509614.tif 000004
【図２Ｂ】
2018509614.tif 000005
【図２Ｃ】
2018509614.tif 000006
【図２Ｄ】
2018509614.tif 000007
【図３】
2018509614.tif 000008
【図４】
2018509614.tif 000009
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク内の複数のセルの少なくともいくつかによって周期的に送信される測位信号上で測位測定を実行するためにモバイルデバイスを支援するための方法であって、前記方法は、
前記ワイヤレス通信ネットワーク内の前記複数のセルの１つ又は複数の、前記モバイルデバイスによって取得される、セル情報を受信することと、ここにおいて、前記セル情報は、前記モバイルデバイスによって観測される、前記ワイヤレス通信ネットワーク内の第１のセルの観測周波数チャネル番号を示し、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、
前記観測物理周波数が、前記第１のセルの前記既知の物理周波数と同じである場合、前記観測周波数チャネル番号へ、割り当てられた周波数チャネル番号を設定することと、
前記受信されたセル情報に基づいて前記測位測定を実行するために、前記モバイルデバイスによる使用のための前記割り当てられた周波数チャネル番号を含むように支援データを生成することと、及び、
前記モバイルデバイスへ前記支援データを送ることと、
を備える、方法。
【請求項２】
前記セル情報は、前記複数のセルの少なくとも１つの強化セルＩＤ（Ｅ−ＣＩＤ）情報を含む、請求項１に記載の方法。
【請求項３】
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、請求項２に記載の方法。
【請求項４】
前記割り当てられた周波数チャネル番号は、進化型絶対無線周波数チャネル番号（ＥＡＲＦＣＮ）を含む、請求項１に記載の方法。
【請求項５】
前記割り当てられた周波数チャネル番号は、絶対無線周波数チャネル番号（ＡＲＦＣＮ）を含む、請求項１に記載の方法。
【請求項６】
前記観測周波数チャネル番号の値は、前記既知の周波数チャネル番号の値から区別できる、請求項１に記載の方法。
【請求項７】
前記既知の物理周波数及び前記既知の周波数チャネル番号に対応するデータを維持することは、前記ワイヤレス通信ネットワークのロケーションサーバにおいて、基地局アルマナック（ＢＳＡ）を維持することを備える、請求項１に記載の方法。
【請求項８】
前記セル情報を受信することは、ロングタームエボルーション（ＬＴＥ）測位プロトコル（ＬＰＰ）を介して前記セル情報を受信することを含む、請求項１に記載の方法。
【請求項９】
前記セル情報に関する要求を、前記モバイルデバイスへ送ることをさらに備える、請求項１に記載の方法。
【請求項１０】
ワイヤレス通信ネットワーク内の複数のセルの少なくともいくつかによって周期的に送信される測位信号上で測位測定を実行するためにモバイルデバイスを支援するための装置であって、前記装置は、
プログラムコードを記憶するように適合されたメモリと、及び
前記装置に、
前記ワイヤレス通信ネットワーク内の前記複数のセルの１つ又は複数の、前記モバイルデバイスによって取得される、セル情報を受信することと、ここにおいて、前記セル情報は、前記モバイルデバイスによって観測される、前記ワイヤレス通信ネットワーク内の第１のセルの観測周波数チャネル番号を示し、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、
前記観測物理周波数が、前記第１のセルの前記既知の物理周波数と同じである場合、前記観測周波数チャネル番号へ、割り当てられた周波数チャネル番号を設定することと、
前記受信されたセル情報に基づいて前記測位測定を実行するために、前記モバイルデバイスによる使用のための前記割り当てられた周波数チャネル番号を含むように支援データを生成することと、及び、
前記モバイルデバイスへ前記支援データを送ることと、
をするように指示するための前記プログラムコードに含まれる命令にアクセス及び実行するために前記メモリに結合された処理ユニット
を備える、装置。
【請求項１１】
前記セル情報は、前記複数のセルの少なくとも１つの強化セルＩＤ（Ｅ−ＣＩＤ）情報を含む、請求項１０に記載の装置。
【請求項１２】
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、請求項１１に記載の装置。
【請求項１３】
前記割り当てられた周波数チャネル番号は、進化型絶対無線周波数チャネル番号（ＥＡＲＦＣＮ）を含む、請求項１０に記載の装置。
【請求項１４】
前記割り当てられた周波数チャネル番号は、絶対無線周波数チャネル番号（ＡＲＦＣＮ）を含む、請求項１０に記載の装置。
【請求項１５】
前記観測周波数チャネル番号の値は、前記既知の周波数チャネル番号の値から区別できる、請求項１０に記載の装置。
【請求項１６】
前記既知の物理周波数及び前記既知の周波数チャネル番号に対応する前記データを維持するための命令は、基地局アルマナック（ＢＳＡ）を維持するための命令を備える、請求項１０に記載の装置。
【請求項１７】
前記プログラムコードは、ロングタームエボルーション（ＬＴＥ）測位プロトコル（ＬＰＰ）を介して前記セル情報を受信することを前記装置に指示するための命令をさらに備える、請求項１０に記載の装置。
【請求項１８】
前記プログラムコードは、前記セル情報に関する要求を、前記モバイルデバイスへ送ることを前記装置に指示するための命令をさらに備える、請求項１０に記載の装置。
【請求項１９】
ワイヤレス通信ネットワーク内の複数のセルの少なくともいくつかによって周期的に送信される測位信号上で測位測定を実行するためにモバイルデバイスを支援するための装置であって、前記装置は、
前記ワイヤレス通信ネットワーク内の前記複数のセルの１つ又は複数の、前記モバイルデバイスによって取得される、セル情報を受信するための手段と、ここにおいて、前記セル情報は、前記モバイルデバイスによって観測される、前記ワイヤレス通信ネットワーク内の第１のセルの観測周波数チャネル番号を示し、
前記ワイヤレス通信ネットワークの前記第１のセルの既知の物理周波数及び既知の周波数チャネル番号に対応するデータを維持するための手段と、
前記第１のセルの観測物理周波数へ前記観測周波数チャネル番号を変換するための手段と、
前記観測物理周波数が、前記第１のセルの前記既知の物理周波数と同じである場合、前記観測周波数チャネル番号へ、割り当てられた周波数チャネル番号を設定するための手段と、
前記受信されたセル情報に基づいて前記測位測定を実行するために、前記モバイルデバイスによる使用のための前記割り当てられた周波数チャネル番号を含むように支援データを生成するための手段と、及び、
前記モバイルデバイスへ前記支援データを送るための手段と、
を備える、装置。
【請求項２０】
前記セル情報は、前記複数のセルの少なくとも１つの強化セルＩＤ（Ｅ−ＣＩＤ）情報を含む、請求項１９に記載の装置。
【請求項２１】
前記割り当てられた周波数チャネル番号は、進化型絶対無線周波数チャネル番号（ＥＡＲＦＣＮ）を含む、請求項１９に記載の装置。
【請求項２２】
前記観測周波数チャネル番号の値は、前記既知の周波数チャネル番号の値から区別できる、請求項１９に記載の装置。
【請求項２３】
ワイヤレス通信ネットワーク内の複数のセルの少なくともいくつかによって周期的に送信される測位信号上で測位測定を実行するためにモバイルデバイスを支援するための、その上に記憶されたプログラムコードを含む非一時的なコンピュータ読取可能媒体であって、前記プログラムコードは、
前記ワイヤレス通信ネットワーク内の前記複数のセルの１つ又は複数の、前記モバイルデバイスによって取得される、セル情報を受信し、ここにおいて、前記セル情報は、前記モバイルデバイスによって観測される、前記ワイヤレス通信ネットワーク内の第１のセルの観測周波数チャネル番号を示し、
前記ワイヤレス通信ネットワークの前記第１のセルの既知の物理周波数及び既知の周波数チャネル番号に対応するデータを維持し、
前記第１のセルの観測物理周波数へ前記観測周波数チャネル番号を変換し、
前記観測物理周波数が、前記第１のセルの前記既知の物理周波数と同じである場合、前記観測周波数チャネル番号へ、割り当てられた周波数チャネル番号を設定し、
前記受信されたセル情報に基づいて前記測位測定を実行するために、前記モバイルデバイスによる使用のための前記割り当てられた周波数チャネル番号を含むように支援データを生成し、及び、
前記モバイルデバイスへ前記支援データを送るための命令を備える、非一時的なコンピュータ読取可能媒体。
【請求項２４】
前記セル情報は、前記複数のセルの少なくとも１つの強化セルＩＤ（Ｅ−ＣＩＤ）情報を含む、請求項２３に記載の非一時的なコンピュータ読取可能媒体。
【請求項２５】
前記割り当てられた周波数チャネル番号は、進化型絶対無線周波数チャネル番号（ＥＡＲＦＣＮ）を含む、請求項２３に記載の非一時的なコンピュータ読取可能媒体。
【請求項２６】
前記観測周波数チャネル番号の値は、前記既知の周波数チャネル番号の値から区別できる、請求項２３に記載の非一時的なコンピュータ読取可能媒体。
【手続補正２】
【補正対象書類名】明細書
【補正対象項目名】００６１
【補正方法】変更
【補正の内容】
【００６１】
[0067]前述の開示は、例示された本発明の実施形態を示すが、様々な変更および修正が添付の特許請求の範囲によって定義されるように本発明の範囲から逸脱することなく本明細書で行われることが可能なことに留意すべきである。本明細書に記載された本発明の実施形態にしたがった方法の請求項の機能、ステップおよび／または動作は、任意の特定の順序で実行される必要はない。さらに、本発明の要素は、単数で記載または請求され得るが、単数への限定が明らかに述べられていなくとも、複数が検討される。
以下に本願発明の当初の特許請求の範囲に記載された発明を付記する。
［Ｃ１］
ワイヤレス通信ネットワーク内の複数のセルの少なくともいくつかによって周期的に送信される測位信号上で測位測定を実行するためにモバイルデバイスを支援するための方法であって、前記方法は、
前記ワイヤレス通信ネットワーク内の前記複数のセルの１つ又は複数の、前記モバイルデバイスによって取得される、セル情報を受信することと、
前記受信されたセル情報に基づいて前記測位測定を実行するために、前記モバイルデバイスによる使用のための割り当てられた周波数チャネル番号を含むように支援データを生成することと、及び、
前記モバイルデバイスへ前記支援データを送ることと、
を備える、方法。
［Ｃ２］
前記セル情報は、前記複数のセルの少なくとも１つの強化セルＩＤ（Ｅ−ＣＩＤ）情報を含む、Ｃ１に記載の方法。
［Ｃ３］
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、Ｃ２に記載の方法。
［Ｃ４］
前記割り当てられた周波数チャネル番号は、進化型絶対無線周波数チャネル番号（ＥＡＲＦＣＮ）を含む、Ｃ１に記載の方法。
［Ｃ５］
前記割り当てられた周波数チャネル番号は、絶対無線周波数チャネル番号（ＡＲＦＣＮ）を含む、Ｃ１に記載の方法。
［Ｃ６］
前記セル情報は、前記モバイルデバイスによって観測される、前記ワイヤレス通信ネットワーク内の第１のセルの観測周波数チャネル番号を示し、前記方法は、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、及び、
前記観測物理周波数が、前記第１のセルの前記既知の物理周波数と同じである場合、前記観測周波数チャネル番号へ、前記割り当てられた周波数チャネル番号を設定することと、
をさらに備える、Ｃ１に記載の方法。
［Ｃ７］
前記観測周波数チャネル番号の値は、前記既知の周波数チャネル番号の値から区別できる、Ｃ６に記載の方法。
［Ｃ８］
前記既知の物理周波数及び前記既知の周波数チャネル番号に対応するデータを維持することは、前記ワイヤレス通信ネットワークのロケーションサーバにおいて、基地局アルマナック（ＢＳＡ）を維持することを備える、Ｃ６に記載の方法。
［Ｃ９］
前記セル情報を受信することは、ロングタームエボルーション（ＬＴＥ）測位プロトコル（ＬＰＰ）を介して前記セル情報を受信することを含む、Ｃ１に記載の方法。
［Ｃ１０］
前記セル情報に関する要求を、前記モバイルデバイスへ送ることをさらに備える、Ｃ１に記載の方法。
［Ｃ１１］
ワイヤレス通信ネットワーク内の複数のセルの少なくともいくつかによって周期的に送信される測位信号上で測位測定を実行するためにモバイルデバイスを支援するための装置であって、前記装置は、
プログラムコードを記憶するように適合されたメモリと、及び
前記装置に、
前記ワイヤレス通信ネットワーク内の前記複数のセルの１つ又は複数の、前記モバイルデバイスによって取得される、セル情報を受信することと、
前記受信されたセル情報に基づいて前記測位測定を実行するために、前記モバイルデバイスによる使用のための割り当てられた周波数チャネル番号を含むように支援データを生成することと、及び、
前記モバイルデバイスへ前記支援データを送ることと、
をするように指示するための前記プログラムコードに含まれる命令にアクセス及び実行するために前記メモリに結合された処理ユニット
を備える、装置。
［Ｃ１２］
前記セル情報は、前記複数のセルの少なくとも１つの強化セルＩＤ（Ｅ−ＣＩＤ）情報を含む、Ｃ１１に記載の装置。
［Ｃ１３］
前記Ｅ−ＣＩＤ情報は、前記ワイヤレス通信ネットワーク内の少なくとも１つのセルのモバイルカントリーコード（ＭＣＣ）、前記少なくとも１つのセルのモバイルネットワークコード（ＭＮＣ）、前記少なくとも１つのセルのセルＩＤ（ＣＩＤ）、前記モバイルデバイスのアンテナと前記少なくとも１つのセルの間の受信及び送信時間の間の推定された時間差に対応するＲｘ−Ｔｘ時間差、前記少なくとも１つのセルの物理セル識別子（ＰＣＩ）、前記少なくとも１つのセルの進化型絶対無線周波数チャネル番号（ＥＡＲＦＣＮ）、前記少なくとも１つのセルの基準信号受信電力（ＲＳＲＰ）、及び前記少なくとも１つのセルの基準信号受信品質（ＲＳＲＱ）からなるグループから選択された１つ又は複数のデータを含む、Ｃ１２に記載の装置。
［Ｃ１４］
前記割り当てられた周波数チャネル番号は、進化型絶対無線周波数チャネル番号（ＥＡＲＦＣＮ）を含む、Ｃ１１に記載の装置。
［Ｃ１５］
前記割り当てられた周波数チャネル番号は、絶対無線周波数チャネル番号（ＡＲＦＣＮ）を含む、Ｃ１１に記載の装置。
［Ｃ１６］
前記セル情報は、前記モバイルデバイスによって観測される、前記ワイヤレス通信ネットワーク内の第１のセルの観測周波数チャネル番号を示し、前記プログラムコードは、
前記ワイヤレス通信ネットワークの前記第１のセルの既知の物理周波数及び既知の周波数チャネル番号に対応するデータを維持することと、
前記第１のセルの観測物理周波数へ前記観測周波数チャネル番号を変換することと、及び、
前記観測物理周波数が、前記第１のセルの前記既知の物理周波数と同じである場合、前記観測周波数チャネル番号へ、前記割り当てられた周波数チャネル番号を設定することと、
を前記装置に指示するための命令をさらに備える、Ｃ１１に記載の装置。
［Ｃ１７］
前記観測周波数チャネル番号の値は、前記既知の周波数チャネル番号の値から区別できる、Ｃ１６に記載の装置。
［Ｃ１８］
前記既知の物理周波数及び前記既知の周波数チャネル番号に対応する前記データを維持するための命令は、基地局アルマナック（ＢＳＡ）を維持するための命令を備える、Ｃ１６に記載の装置。
［Ｃ１９］
前記プログラムコードは、ロングタームエボルーション（ＬＴＥ）測位プロトコル（ＬＰＰ）を介して前記セル情報を受信することを前記装置に指示するための命令をさらに備える、Ｃ１１に記載の装置。
［Ｃ２０］
前記プログラムコードは、前記セル情報に関する要求を、前記モバイルデバイスへ送ることを前記装置に指示するための命令をさらに備える、Ｃ１１に記載の装置。
［Ｃ２１］
ワイヤレス通信ネットワーク内の複数のセルの少なくともいくつかによって周期的に送信される測位信号上で測位測定を実行するためにモバイルデバイスを支援するための装置であって、前記装置は、
前記ワイヤレス通信ネットワーク内の前記複数のセルの１つ又は複数の、前記モバイルデバイスによって取得される、セル情報を受信するための手段と、
前記受信されたセル情報に基づいて前記測位測定を実行するために、前記モバイルデバイスによる使用のための割り当てられた周波数チャネル番号を含むように支援データを生成するための手段と、及び、
前記モバイルデバイスへ前記支援データを送るための手段と、
を備える、装置。
［Ｃ２２］
前記セル情報は、前記複数のセルの少なくとも１つの強化セルＩＤ（Ｅ−ＣＩＤ）情報を含む、Ｃ２１に記載の方法。
［Ｃ２３］
前記割り当てられた周波数チャネル番号は、進化型絶対無線周波数チャネル番号（ＥＡＲＦＣＮ）を含む、Ｃ２１に記載の装置。
［Ｃ２４］
前記セル情報は、前記モバイルデバイスによって観測される、前記ワイヤレス通信ネットワーク内の第１のセルの観測周波数チャネル番号を示し、前記装置は、
前記ワイヤレス通信ネットワークの前記第１のセルの既知の物理周波数及び既知の周波数チャネル番号に対応するデータを維持するための手段と、
前記第１のセルの観測物理周波数へ前記観測周波数チャネル番号を変換するための手段と、及び、
前記観測物理周波数が、前記第１のセルの前記既知の物理周波数と同じである場合、前記観測周波数チャネル番号へ、前記割り当てられた周波数チャネル番号を設定するための手段と、
をさらに備える、Ｃ２１に記載の装置。
［Ｃ２５］
前記観測周波数チャネル番号の値は、前記既知の周波数チャネル番号の値から区別できる、Ｃ２４に記載の装置。
［Ｃ２６］
ワイヤレス通信ネットワーク内の複数のセルの少なくともいくつかによって周期的に送信される測位信号上で測位測定を実行するためにモバイルデバイスを支援するための、その上に記憶されたプログラムコードを含む非一時的なコンピュータ読取可能媒体であって、前記プログラムコードは、
前記ワイヤレス通信ネットワーク内の前記複数のセルの１つ又は複数の、前記モバイルデバイスによって取得される、セル情報を受信し、
前記受信されたセル情報に基づいて前記測位測定を実行するために、前記モバイルデバイスによる使用のための割り当てられた周波数チャネル番号を含むように支援データを生成し、及び、
前記モバイルデバイスへ前記支援データを送るための命令を備える、非一時的なコンピュータ読取可能媒体。
［Ｃ２７］
前記セル情報は、前記複数のセルの少なくとも１つの強化セルＩＤ（Ｅ−ＣＩＤ）情報を含む、Ｃ２６に記載の非一時的なコンピュータ読取可能媒体。
［Ｃ２８］
前記割り当てられた周波数チャネル番号は、進化型絶対無線周波数チャネル番号（ＥＡＲＦＣＮ）を含む、Ｃ２６に記載の非一時的なコンピュータ読取可能媒体。
［Ｃ２９］
前記セル情報は、前記モバイルデバイスによって観測される、前記ワイヤレス通信ネットワーク内の第１のセルの観測周波数チャネル番号を示し、前記プログラムコードは、
前記ワイヤレス通信ネットワークの前記第１のセルの既知の物理周波数及び既知の周波数チャネル番号に対応するデータを維持し、
前記第１のセルの観測物理周波数へ前記観測周波数チャネル番号を変換し、及び、
前記観測物理周波数が、前記第１のセルの前記既知の物理周波数と同じである場合、前記観測周波数チャネル番号へ、前記割り当てられた周波数チャネル番号を設定するための前記命令をさらに備える、Ｃ２６に記載の非一時的なコンピュータ読取可能媒体。
［Ｃ３０］
前記観測周波数チャネル番号の値は、前記既知の周波数チャネル番号の値から区別できる、Ｃ２９に記載の非一時的なコンピュータ読取可能媒体。
【国際調査報告】
2018509614.tif 000010
2018509614.tif 000011